【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
（ａ）アドレス可能な行及び列に配列された一連のセルを定義するワークシートを含み、それぞれの前記セルが、データと書式設定と前記ワークシート内のセル間の１つ以上の関係とを含むことができるコンピューター・スプレッドシート・アプリケーションと、
（ｂ）前記スプレッドシートに対して定義されたタスク特有の機能に基づいてユーザーによって選択されたとき前記ワークシートに適用される、制限の組と書式設定と関係とを含むシート定義と、
を備え、
前記シート定義が、
データと、フォーマットと、前記ワークシート内の１つ以上のセルが他のセルに対して持つ関係とのうちの少なくとも１つの機能を制限し、それによって、ユーザーが前記ワークシートと対話する能力を制限して前記スプレッドシートに対して定義されたタスク特有の機能を実現する、前記ワークシートに適用されるべき１つ以上の制限と、
前記ワークシートに対するタスク特有の機能を実現するための、前記セルに対する１つ以上の関係と、
を含む、
コンピューター実行可能モジュールを有するコンピューター読み取り可能媒体。
【請求項２】
前記制限の組が、前記ワークシートにおける１つ又は複数のデータ入力特徴を制限する、請求項１に記載のコンピューター読み取り可能媒体。
【請求項３】
前記制限の組が、前記ワークシートにおける１つ又は複数の書式設定特徴を制限する、請求項１に記載のコンピューター読み取り可能媒体。
【請求項４】
前記シート定義が、前記スプレッドシートにおける他のセルに対する一連のセルのための少なくとも１つの埋め込まれた機能を含む、請求項１に記載のコンピューター読み取り可能媒体。
【請求項５】
前記シート定義が、
表示されるアプリケーション・メニュー・アイテムに対する制限と、
追加のワークシートに対するタブを表示するかどうかに対する制限と、
前記ワークシートのフォントとスタイルとの外観に対する制限と、
メニュー・アイテムをグレイ表示するための仕様と、
ワークシートのサイズに対する制限と、
スプレッドシートの列を挿入の許可するかどうかに対する制限と
のうちの少なくとも１つを含む制限の組を有する、
請求項１に記載のコンピューター読み取り可能媒体。
【請求項６】
前記シート定義が、
前記コンピューター・スプレッドシート・アプリケーションのレイアウト・ビューに対するデフォルトと、
前記コンピューター・スプレッドシート・アプリケーションに規則、行及び列のうちの少なくとも１つを表示しないよう指示する設定と、
入力キーからの入力を特定の移動に対して規制する制限と
のうちの少なくとも１つを含む制限の組を有する、
請求項１に記載のコンピューター読み取り可能媒体。
【請求項７】
前記シート定義が、台帳シートとプロジェクト追跡シートとスケジュール・シートとのうちの１つのシートに対する制限の組を定義する、請求項１に記載のコンピューター読み取り可能媒体。
【請求項８】
前記シート定義が、台帳シート、スケジュール・シート、テキスト入力シート及びプロジェクト追跡シートのうちの１つ又は複数のシートからのデータを含むダッシュボード・シートに対する制限の組を定義する、請求項１に記載のコンピューター読み取り可能媒体。
【請求項９】
（ａ）行と列に配置された複数のセルを有するワークシートをスプレッドシート・アプリケーションに表示するステップであって、それぞれの前記セルが、データと、書式設定と、前記ワークシート内のセル間の１つ以上の関係とを含むことができるステップと、
（ｂ）ユーザーに対して選択インターフェースを表示して、ユーザーがタスク特有のワークシートを選択できるようにするステップと、
（ｃ）前記ワークシートのうちの１つの選択に応答して、前記ワークシートに対して１つ以上の制限を適用するタスク特有のシート定義を前記ワークシートに自動的に適用するステップであって、前記制限が、データと、書式設定と、１つ以上のセルが前記ワークシート内の他のセルに対して持つ関係とのうちの２つ以上の機能を制限し、それによって、前記ワークシートと対話するユーザーの能力を制限して、前記ワークシートのタスク特有の機能を実現するステップと、
（ｄ）タスク特有の制限されたワークシートを表示するステップと、
（ｅ）前記タスク特有のシート定義に基づいて、前記タスク特有の制限されたワークシートとのユーザーの対話が許容されるかどうかを決定するステップと、
を実行するためのコンピューター実行可能命令を有するコンピューター読み取り可能媒体。
【請求項１０】
前記命令が、前記タスク特有の制限されたワークシートにおける１つ以上のセルの書式設定をユーザーが変更できないようにすることを更に含む、請求項９に記載のコンピューター読み取り可能媒体。
【請求項１１】
前記命令が、前記タスク特有の制限されたワークシートにおける１つ以上のセルへのデータ入力をユーザーができないようにすることを更に含む、請求項９に記載のコンピューター読み取り可能媒体。
【請求項１２】
前記命令が、前記タスク特有の制限をされたワークシートを表示するときに、前記スプレッドシート・アプリケーションにおいて機能制御を制限することを更に備える、請求項９に記載のコンピューター読み取り可能媒体。
【請求項１３】
前記命令が、前記ワークシートにおける少なくとも１組のセルについてユーザーに利用可能なデータ入力の形式を制限することを更に備える、請求項９に記載のコンピューター読み取り可能媒体。
【請求項１４】
前記命令が、
表示されるアプリケーション・メニュー・アイテムと、
追加のワークシートに対するタブを表示するかどうかと、
前記ワークシートのフォントとスタイルの外観をどうするかと、
スプレッドシートの列の挿入を許可するかどうかに対する制限と
とのうちの１つ以上を制限することを含む、請求項９に記載のコンピューター読み取り可能媒体。
【請求項１５】
（ａ）ワークシート・アプリケーションにおいて、行と列に配列された複数のセルを有するワークシートを表示するステップであって、それぞれの前記セルが、データと、書式設定と、前記ワークシートにおけるセル間の１つ以上の関係とを含むことができるステップと、
（ｂ）タスク特有のワークシートの選択インターフェースを表示するステップと、
（ｃ）１つの前記ワークシートの選択に応答して、１つ以上の制限と１つ以上の機能とを含むタスク特有のシート定義を自動的に前記ワークシートに適用するステップであって、前記制限が、前記データと、前記書式設定と、前記ワークシートにおける１つ以上のセルが他のセルに対して持つ前記関係とのうちの２つ以上の能力を制限し、前記機能が、前記ワークシートのタスク特有の機能を実現するように前記セル間の関係を生成し、それにより、前記制限と前記機能が、前記ワークシートの前記タスク特有の機能に基づいて前記ワークシートと対話するユーザーの能力を制限するステップと、
（ｄ）タスク特有の制限されたワークシートを表示するステップと、
（ｅ）前記タスク特有の制限されたワークシートとの対話を受信するステップと、
（ｆ）前記シート定義をチェックすることによって、前記ユーザー対話が許容されるかどうかを決定し、許容されないならば、該対話を阻止するステップと、
（ｇ）前記ユーザー対話が許容されるならば、前記シート定義をチェックすることによって、前記ユーザー対話が制限されているかどうかを決定し、制限されていれば、該対話を制限するステップと、
を実行するコンピューター実行可能命令を有するコンピューター読み取り可能媒体。
【請求項１６】
表示する前記ステップが、１つ又は複数のアプリケーション特有の特徴を制限することを含む、請求項１５に記載のコンピューター読み取り可能媒体。
【請求項１７】
表示する前記ステップが、書式制限されたワークシートを表示することを含む、請求項１６に記載のコンピューター読み取り可能媒体。
【請求項１８】
前記命令が、前記タスク特有の制限をされたワークシートを表示するときに、前記スプレッドシート・アプリケーションにおいて機能制御を制限することを更に含む、請求項１７に記載のコンピューター読み取り可能媒体。
【請求項１９】
前記ステップ（ｇ）が、前記ワークシートにおける少なくとも１組のセルについてユーザーに利用可能なデータ入力を制限することを更に含む、請求項１８に記載のコンピューター読み取り可能媒体。
【請求項２０】
前記ステップ（ｇ）が、セルの選択をセルのサブセットに制限することを更に含む、請求項１９に記載のコンピューター読み取り可能媒体。